【手続補正書】
【提出日】平成22年11月10日(2010.11.10)
【手続補正１】
【補正対象書類名】特許請求の範囲
【補正対象項目名】全文
【補正方法】変更
【補正の内容】
【特許請求の範囲】
【請求項１】
受診予定の健診科目に対して受診予定であることを示す健診予定情報が記録される携帯記録媒体と通信可能であり、健診科目を表示する健診情報処理装置であって、
健診科目を識別する識別情報を記憶する記憶手段と、
前記健診科目に対して健診を中断する旨の指示を受け付ける受付手段と、
前記受付手段で健診科目に対して健診を中断する旨の指示を受け付けた場合に、前記記憶手段に記憶された当該健診科目の識別情報と一致する、前記携帯記録媒体に記憶された識別情報に、健診が中断された旨を示す情報を紐付けて記録させる記録手段と、
前記携帯記録媒体に記録された健診が中断された旨を示す情報と前記健診予定情報とを当該携帯記録媒体から取得する取得手段と、
前記取得手段で取得した健診が中断された旨を示す情報と前記健診予定情報とに基づいて、健診予定のある健診科目、健診予定のない健診科目、健診が中断された健診科目をそれぞれ識別可能に表示する表示制御手段と、
を備えることを特徴とする健診情報処理装置。
【請求項２】
前記健診を中断する旨の指示は、当日中に再健診を行う旨の指示、または、後日に再健診を行う旨の指示であることを特徴とし、
前記取得手段が取得する健診が中断された旨を示す情報は、当日中に再健診を行う旨を示す情報、または、後日に再健診を行う旨を示す情報であることを特徴とする請求項１に記載の健診情報処理装置。
【請求項３】
前記表示制御手段は、更に、
前記取得手段で取得した健診が中断された旨を示す情報に基づいて、当日中に再健診を行う健診科目と後日に再健診を行う健診科目とを識別可能に表示することを特徴とする請求項２に記載の健診情報処理装置。
【請求項４】
健診機器で測定された健診情報を前記携帯記録媒体から取得する健診情報取得手段と、
前記健診情報取得手段により健診情報を取得できた健診科目と取得できなかった健診科目とを識別可能に表示する第２の表示制御手段とを更に備えることを特徴とする請求項１乃至３の何れか１項に記載の健診情報処理装置。
【請求項５】
受診予定の健診科目に対して受診予定であることを示す健診予定情報が記録される携帯記録媒体と通信可能であり、健診科目を識別する識別情報を記憶し健診科目を表示する健診情報処理装置における健診情報処理方法であって、
前記健診情報処理装置の受付手段が、前記健診科目に対して健診を中断する旨の指示を受け付ける受付ステップと、
前記健診情報処理装置の記録手段が、前記受付ステップで当該健診科目に対して健診を中断する旨の指示を受け付けた場合に、前記記憶された当該健診科目の識別情報と一致する、前記携帯記録媒体に記憶された識別情報に、健診が中断された旨を示す情報を紐付けて記録させる記録ステップと、
前記健診情報処理装置の取得手段が、前記携帯記録媒体に記録された健診が中断された旨を示す情報と前記健診予定情報とを当該携帯記録媒体から取得する取得ステップと、
前記健診情報処理装置の表示制御手段が、前記取得ステップで取得した健診が中断された旨を示す情報と前記健診予定情報とに基づいて、健診予定のある健診科目、健診予定のない健診科目、健診が中断された健診科目をそれぞれ識別可能に表示する表示制御ステップと、
を備えることを特徴とする健診情報処理方法。
【請求項６】
受診予定の健診科目に対して受診予定であることを示す健診予定情報が記録される携帯記録媒体と通信可能であり、健診科目を識別する識別情報を記憶し健診科目を表示する健診情報処理装置で実行可能なプログラムであって、
前記健診情報処理装置を、
健診科目を識別する識別情報を記憶する記憶手段と、
前記健診科目に対して健診を中断する旨の指示を受け付ける受付手段と、
前記受付手段で当該健診科目に対して健診を中断する旨の指示を受け付けた場合に、前記記憶手段に記憶された当該健診科目の識別情報と一致する、前記携帯記録媒体に記憶された識別情報に、健診が中断された旨を示す情報を紐付けて記録させる記録手段と、
前記携帯記録媒体に記録された健診が中断された旨を示す情報と前記健診予定情報とを当該携帯記録媒体から取得する取得手段と、
前記取得手段で取得した健診が中断された旨を示す情報と前記健診予定情報とに基づいて、健診予定のある健診科目、健診予定のない健診科目、健診が中断された健診科目をそれぞれ識別可能に表示する表示制御手段として機能させることを特徴とするプログラム。
【請求項７】
請求項６記載のプログラムを格納することを特徴とするコンピュータで読み取り可能な記憶媒体。
【請求項８】
受診予定の健診科目に対して受診予定であることを示す健診予定情報が記録される携帯記録媒体と、健診科目を表示する健診情報処理装置とが通信可能な情報処理システムであって、
前記健診情報処理装置は、
健診科目を識別する識別情報を記憶する記憶手段と、
前記健診科目に対して健診を中断する旨の指示を受け付ける受付手段と、
前記受付手段で当該健診科目に対して健診を中断する旨の指示を受け付けた場合に、前記記憶手段に記憶された当該健診科目の識別情報と一致する、前記携帯記録媒体に記憶された識別情報に、健診が中断された旨を示す情報を紐付けて記録させる記録手段と、
前記携帯記録媒体に記録された健診が中断された旨を示す情報と前記健診予定情報とを当該携帯記録媒体から取得する取得手段と、
前記取得手段で取得した健診が中断された旨を示す情報と前記健診予定情報とに基づいて、健診予定のある健診科目、健診予定のない健診科目、健診が中断された健診科目をそれぞれ識別可能に表示する表示制御手段と、
を備えることを特徴とする健診情報処理システム。
【手続補正２】
【補正対象書類名】明細書
【補正対象項目名】０００９
【補正方法】変更
【補正の内容】
【０００９】
上記目的を達成するために、請求項１記載の健診情報処理装置は、受診予定の健診科目に対して受診予定であることを示す健診予定情報が記録される携帯記録媒体と通信可能であり、健診科目を表示する健診情報処理装置であって、健診科目を識別する識別情報を記憶する記憶手段と、前記健診科目に対して健診を中断する旨の指示を受け付ける受付手段と、前記受付手段で健診科目に対して健診を中断する旨の指示を受け付けた場合に、前記記憶手段に記憶された当該健診科目の識別情報と一致する、前記携帯記録媒体に記憶された識別情報に、健診が中断された旨を示す情報を紐付けて記録させる記録手段と、前記携帯記録媒体に記録された健診が中断された旨を示す情報と前記健診予定情報とを当該携帯記録媒体から取得する取得手段と、前記取得手段で取得した健診が中断された旨を示す情報と前記健診予定情報とに基づいて、健診予定のある健診科目、健診予定のない健診科目、健診が中断された健診科目をそれぞれ識別可能に表示する表示制御手段と、を備えることを特徴とする。
【手続補正３】
【補正対象書類名】明細書
【補正対象項目名】００１０
【補正方法】変更
【補正の内容】
【００１０】
上記目的を達成するために、請求項５記載の健診情報処理方法は、受診予定の健診科目に対して受診予定であることを示す健診予定情報が記録される携帯記録媒体と通信可能であり、健診科目を識別する識別情報を記憶し健診科目を表示する健診情報処理装置における健診情報処理方法であって、前記健診情報処理装置の受付手段が、前記健診科目に対して健診を中断する旨の指示を受け付ける受付ステップと、前記健診情報処理装置の記録手段が、前記受付ステップで当該健診科目に対して健診を中断する旨の指示を受け付けた場合に、前記記憶された当該健診科目の識別情報と一致する、前記携帯記録媒体に記憶された識別情報に、健診が中断された旨を示す情報を紐付けて記録させる記録ステップと、前記健診情報処理装置の取得手段が、前記携帯記録媒体に記録された健診が中断された旨を示す情報と前記健診予定情報とを当該携帯記録媒体から取得する取得ステップと、前記健診情報処理装置の表示制御手段が、前記取得ステップで取得した健診が中断された旨を示す情報と前記健診予定情報とに基づいて、健診予定のある健診科目、健診予定のない健診科目、健診が中断された健診科目をそれぞれ識別可能に表示する表示制御ステップと、を備えることを特徴とする。
【手続補正４】
【補正対象書類名】明細書
【補正対象項目名】００１１
【補正方法】変更
【補正の内容】
【００１１】
上記目的を達成するために、請求項６記載のプログラムは、受診予定の健診科目に対して受診予定であることを示す健診予定情報が記録される携帯記録媒体と通信可能であり、健診科目を識別する識別情報を記憶し健診科目を表示する健診情報処理装置で実行可能なプログラムであって、前記健診情報処理装置を、健診科目を識別する識別情報を記憶する記憶手段と、前記健診科目に対して健診を中断する旨の指示を受け付ける受付手段と、前記受付手段で当該健診科目に対して健診を中断する旨の指示を受け付けた場合に、前記記憶手段に記憶された当該健診科目の識別情報と一致する、前記携帯記録媒体に記憶された識別情報に、健診が中断された旨を示す情報を紐付けて記録させる記録手段と、前記携帯記録媒体に記録された健診が中断された旨を示す情報と前記健診予定情報とを当該携帯記録媒体から取得する取得手段と、前記取得手段で取得した健診が中断された旨を示す情報と前記健診予定情報とに基づいて、健診予定のある健診科目、健診予定のない健診科目、健診が中断された健診科目をそれぞれ識別可能に表示する表示制御手段として機能させることを特徴とする。
【手続補正５】
【補正対象書類名】明細書
【補正対象項目名】００１３
【補正方法】変更
【補正の内容】
【００１３】
上記目的を達成するために、請求項８記載の健診情報処理システムは、受診予定の健診科目に対して受診予定であることを示す健診予定情報が記録される携帯記録媒体と、健診科目を表示する健診情報処理装置とが通信可能な情報処理システムであって、前記健診情報処理装置は、健診科目を識別する識別情報を記憶する記憶手段と、前記健診科目に対して健診を中断する旨の指示を受け付ける受付手段と、前記受付手段で当該健診科目に対して健診を中断する旨の指示を受け付けた場合に、前記記憶手段に記憶された当該健診科目の識別情報と一致する、前記携帯記録媒体に記憶された識別情報に、健診が中断された旨を示す情報を紐付けて記録させる記録手段と、前記携帯記録媒体に記録された健診が中断された旨を示す情報と前記健診予定情報とを当該携帯記録媒体から取得する取得手段と、前記取得手段で取得した健診が中断された旨を示す情報と前記健診予定情報とに基づいて、健診予定のある健診科目、健診予定のない健診科目、健診が中断された健診科目をそれぞれ識別可能に表示する表示制御手段と、を備えることを特徴とする。